(57)【要約】【課題】  ペットの肥満を防止できるペットフードを提供する。【解決手段】  本発明は、脂肪燃焼アミノ酸を添加したペットフードとする。【選択図】    なし【特許請求の範囲】
【請求項１】
脂肪燃焼アミノ酸を添加したことを特徴とするペットフード。
【請求項２】
前記脂肪燃焼アミノ酸は、アラニン、プロリン、リジン、アルギニンであり、この４種の単体、又は混合したものであることを特徴とする請求項１に記載したペットフード。
【請求項３】
前記添加量としては、ペットフードに対して０．２重量パーセント乃至１．０重量パーセントの添加とすることを特徴とする請求項１又は請求項２に記載したペットフード。
【請求項４】
前記添加量は、ウエットタイプやセミモイストタイプでは０．２重量パーセント乃至０．８重量パーセントとし、ドライタイプでは０．５重量パーセント乃至１．０重量パーセントの添加とすることを特徴とする請求項１乃至請求項３の何れかに記載したペットフード。
【請求項５】
前記ペットフードがドッグフードであることを特徴とする請求項１乃至請求項４のいずれかに記載したペットフード。
【発明の詳細な説明】
【技術分野】
【０００１】
本発明は、犬などのペット用の餌に関するものである。
【背景技術】
【０００２】
今日、ドッグフードやキャットフードと称されるペットフードは、魚肉や鶏肉又は獣肉などに適宜の乳製品や野菜類、ビタミン類などを添加した専用の加工食品とされ、ペットの嗜好に合わせた味付けがなされることが多い。
そして、犬用のペットフードは、鳥獣肉を多く含むペットフードとされることが多く、ペットの食欲を増進させるようにされている。
又、猫用のペットフードでは、魚肉を多く含むペットフードとされることが多い。
【０００３】
そして、給餌に際して水を合わせて別途に与える含水率の低いドライタイプのペットフードや、別途に水を用意する適度に湿ったセミモイストタイプのペットフード、水分を多く含むウエットタイプのペットフードなどが製造されてペットに手軽に給餌することができるように工夫されている。
又、小型犬や猫は、今日、室内で飼育されることも多くなり、糞便の消臭効果を有する添加物が加えられることがある。そして、特許文献１に示されるように、猫などのペットの体重を減少させるフードに適する栄養組成物も提案されている。
【特許文献１】特表２００２−５２７４５７
【発明の開示】
【発明が解決しようとする課題】
【０００４】
上述の如く、今日、ペットへの給餌を容易としつつペットの食欲を増進させるようにペットフードの工夫が行われているも、都市部では、ペットが室内で飼育されることが多く、又、屋外においても散歩や運動に適した空間が少なく、ペットにも肥満が増加するようになってきたため、近年、ペットの飼育者に、ペットの肥満を防止できるペットフードが望まれるようになってきた。
本発明は、ペットの飼育者のこのような要望にこたえるペットフードを提供するものである。
【課題を解決するための手段】
【０００５】
本発明は、脂肪燃焼アミノ酸を添加したペットフードとするものである。
通常は運動時のエネルギー源として脂肪よりも早く燃焼するブドウ糖やクレアチンリン酸がエネルギー源として使用され、ブドウ糖などが減少した後に、リパーゼが脂肪を分解して遊離脂肪酸とし、エネルギー源として燃焼させるものであるも、本発明のペットフードに添加する脂肪燃焼アミノ酸は、動物のタンパク質を構成する２０種類のアミノ酸の内、脂肪を分解する酵素であるリパーゼを活性化する作用を有するものであって、体脂肪が遊離脂肪酸に分解されたときに有酸素運動を行うと、遊離脂肪酸が燃焼して脂肪代謝物であるケトン体が生成され、エネルギーを発生させると考えられるものであり、脂肪燃焼アミノ酸により、短時間の運動でも、より多くの体脂肪を燃焼させて減少させることができる。
【０００６】
この脂肪燃焼アミノ酸としては、アミノ酸の内の、アラニン、プロリン、リジン、及び、アルギニンを用いるものであり、この４種を単体で、好ましくは混合してペットフードに添加するものである。
そして、添加量としては、ペットフードに対して０．２重量パーセント乃至１．０重量パーセントの添加とするものである。
このように、ペットフードにペットフードの重量の０．２乃至１．０重量パーセントの添加を行うことにより、ペットの食事量に合わせて必要な量のアミノ酸を摂取させることができる。
【０００７】
この添加量は、ウエットタイプやセミモイストタイプでは０．２重量パーセント乃至０．８重量パーセントとし、ドライタイプでは０．５重量パーセント乃至１．０重量パーセントとすることが好ましい。
このように、ドライタイプに対して多く添加するのは、ドライタイプのペットフードは他のペットフードと組み合わされることもあり、ドライタイプのペットフード自体の１日の摂取重量がウエットタイプなどに比べて少ない重量とされることが多く、少ない摂取量でも脂肪燃焼アミノ酸の所定量を摂取させるためである。
【０００８】
又、脂肪燃焼アミノ酸を添加するペットフードは、ドッグフードとするものである。
即ち、人間に対して体脂肪の燃焼を促進させるアラニン、プロリン、リジン、及び、アルギニンは、犬に対しても、明らかに体脂肪の分解及び燃焼を促進させる効果が確認できた。
【発明の効果】
【０００９】
このように、脂肪燃焼アミノ酸を添加したペットフードは、脂肪燃焼アミノ酸を摂取させることができるため、少ない運動量でも体脂肪を減少させることができる。
このため、ペットの肥満を防止することができる。
【発明を実施するための最良の形態】
【００１０】
本発明は、ウエットタイプやセミモイストタイプのドッグフードやキャットフードに０．２乃至０．８重量パーセント程度の脂肪燃焼アミノ酸を添加するものであり、ドライタイプのドッグフードやキャットフードには０．５乃至１．０重量パーセント程度の脂肪燃焼アミノ酸を添加するもである。
この脂肪燃焼アミノ酸としては、例えばアラニン、プロリン、リジン、アルギニンなどがあり、このアミノ酸を単体で又は複数種を混合した状態でドッグフードやキャットフードに添加するものである。
【実施例１】
【００１１】
ビーグル犬１０頭のうち、５頭にはデキストリン粉末にアミノ酸を混入した混合粉末を、他の５頭にはデキストリン１００パーセントの対象粉末を振り掛けたペットフードを給餌し、３０分間の運動として散歩を行わせた。
このデキストリン粉末にアミノ酸を混入した混合粉末の成分としては、アラニン１０パーセント、プロリン１０パーセント、リジン５パーセント、アルギニン５パーセント、デキストリン７０パーセントとし、混合粉末１グラム中に脂肪燃焼アミノ酸３００ミリグラムを含むようにし、表１に示すように犬の体重５キログラムに付き混合粉末又は対象粉末の１グラムを与えるようにした。
【００１２】
【表１】
2005040059.tif 000002
【００１３】
そして、給餌前に採血した血液と３０分の運動後に採血した血液の血液中の血中遊離脂肪酸及びケトン体の測定を行った。
この結果、運動後の血液中のケトン体は混合粉末添加フードを給餌した検体の平均値が給餌前の値に対して１．７６倍であるのに対し、対象粉末添加フードを給餌した検体の平均値が給餌前の値に対して１．６４倍となった。
即ち、混合粉末添加フードを給餌した検体では脂肪代謝物であるケトン体の生成量が多く検出された。
【００１４】
又、血中遊離脂肪酸の値も、混合粉末添加フードを給餌した検体の平均値が給餌前の値に対して０．７３６倍であるのに対し、対象粉末添加フードを給餌した検体の平均値が給餌前の値に対して０．４８５倍となった。
従って、混合粉末添加フードを給餌した検体では、遊離脂肪酸が多く燃焼されてケトン体が多く生成されているにもかかわらず、遊離脂肪酸の減少量が少なく、より多くの体脂肪が分解されたことが理解できる。
【実施例２】
【００１５】
２週間の訓致期間を置いた１０週齢のＩＣＲマウスの雄４０頭を用い、実験に際しては１２時間の絶食を行わせた。
この４０頭の内、１２頭を投与前対象群として全採血を行い、血中遊離脂肪酸とケトン体の測定を行った。
更に、４０頭の内の１０頭にはアミノ酸４パーセント水溶液の０．５ＭＬを経口投与して測定対象群とし、４０頭の内の１０頭にはデキストリン４パーセント水溶液の０．５ＭＬを経口投与して比較対象群とした。
尚、アミノ酸４パーセント水溶液は、アラニン：プロリン：リジン：アルギニンを２：２：１：１の割合で混合したアミノ酸を水に溶解させたものである。
【００１６】
そして、測定対象群及び比較対象群に温水浴による遊泳運動を行わせ、１５分後に測定対象群及び比較対象群の内の各々５頭づつから全採血を行って血中遊離脂肪酸とケトン体の測定を行い、測定対象群及び比較対象群の残る５頭づつは更に１５分の遊泳運動を行わせ、３０分の温水浴による遊泳運動を行わせた後、全採血を行って血中遊離脂肪酸とケトン体の測定を行った。
この結果、ケトン体の値は、投与前対象群１２頭の平均値が５７３であり、１５分運動後の測定対象群５頭の平均値が８４２となり、同、１５分運動後の比較対象群５頭の平均値が６１２であって、３０分運動後の測定対象群５頭の平均値が８５１となり、同、３０分運動後の比較対象群５頭の平均値が７０７であり、図１のグラフに示す通り、測定対象群では代謝物であるケトン体が多く検出された。
【００１７】
又、遊離脂肪酸の値は、投与前対象群１２頭の平均値が８７６であり、１５分運動後の測定対象群５頭の平均値が１３２４となり、同、１５分運動後の比較対象群５頭の平均値が９８０であり、３０分運動後の測定対象群５頭の平均値が１１５０となり、同、３０分運動後の比較対象群５頭の平均値が１１１２であって、図２のグラフに示す通り、測定対象群では脂肪燃焼アミノ酸の投与と運動により、遊離脂肪酸及びケトン体が多くなった。
このため、人間に有効な脂肪燃焼アミノ酸は、犬やマウスにおいてもリパーゼを活性化し、体脂肪の分解燃焼を助長するものであり、同様に猫においても有効に体脂肪を分解燃焼させるものと思われる。
【実施例３】
【００１８】
試験粉末としてアラニンを１０パーセント、プロリンを１０パーセント、リジンを５パーセント、アルギニンを５パーセント、デキストリンを７０パーセントとする混合粉末と、対象粉末としてデキストリン１００パーセントの粉末を用い、一般家庭で飼育される犬１７頭の内、５頭には対象粉末を添加したペットフードを給餌し、１２頭には混合粉末を添加したペットフードを給餌し、週に１度の体重測定を４週間行った。
尚、混合粉末又は対象粉末は、犬の体重５キログラムに付き２グラムを与えるように１グラム単位で体重に合わせてペットフードに添加し、表２に示すように１２頭には体重５キログラムに付き１日に少なくとも６００ミリグラムのアミノ酸を与えた。
【００１９】
【表２】
2005040059.tif 000003
【００２０】
そして、投与前の体重を１００として、各犬の各週の体重を測定した結果は表３に示すとおりである。
【００２１】
【表３】
2005040059.tif 000004
【００２２】
この結果、体重変化率は、表４に示すように、対象粉末を投与した群では４週間で約２．５パーセントの体重増加がみられるも、混合粉末を投与した群では約１．５パーセントの体重減少がみられた。
【００２３】
【表４】
2005040059.tif 000005
【００２４】
そして、食事状態の結果は、食事量は殆ど変わらなかったが、食いつきは良かったとの結果が出た。
又、混合粉末投与の犬１２頭については試験開始前、及び４週間経過後に採血を行い、血清分離を行って血清中の総コレステロール、中性脂肪、ＨＤＬコレステロールを測定した結果、中性脂肪が２０パーセント以上減少した犬が８頭いた。又、善玉コレステロールの増加及び悪玉コレステロールの減少が見られた。
【産業上の利用可能性】
【００２５】
本発明に係るペットフードは、ペットの体脂肪を減少させ、肥満からくる糖尿病などの病気の予防を可能とするペット用の飼料をペットの飼育者に提供することができる。
【図面の簡単な説明】
【００２６】
【図１】マウスにおけるケトン体の量を示すグラフ。
【図２】マウスにおける遊離脂肪酸の量を示すグラフ。
【図１】
2005040059.tif 000006
【図２】
2005040059.tif 000007